(57)【要約】【課題】揮発性メモリの駆動電圧の生成源を切り替えるための回路構成を簡易かつ安価に実現すること【解決手段】  メイン基板から供給される本体電源からキャッシュメモリ２０２を駆動するための電圧を有する電源を生成する主電源生成回路３０１と、本体電源および本体に装着される電池から供給される電源から選ばれる電圧値が電源からメモリを駆動するための電圧を生成する補助電源生成回路３０２と、主電源生成回路とメモリとを接続する経路に挿入される第１スイッチ３０３と、補助電源生成回路とメモリとを接続する経路に挿入される第２スイッチ３０４と、初期化信号が供給され、初期化信号に応じて第１のスイッチと第２スイッチのオン／オフの切り替え制御を行うための論理素子回路を有する電源切替制御回路３０５とを具備する。【選択図】    図４
2010108411.tif 000002
【特許請求の範囲】
【請求項１】
電源装置と、前記電源装置の出力電圧値が設定値より小さくなった場合に初期化信号を出力する電源監視回路とを有する情報処理装置に設けられたメイン基板に設けられた拡張スロットに挿入される拡張基板と、
前記拡張基板に実装されたディスクアレイコントローラと、
前記ディスクアレイコントローラが通信を行ったデータを一時的に記憶する揮発性メモリと、
前記メイン基板から供給される第１電源から前記揮発性メモリを駆動するための電圧を有する第２電源を生成する第１電源生成回路と、
前記第１電源、および前記拡張基板に装着されるバッテリから供給される第３電源から選ばれる電圧値が高い電源から前記揮発性メモリを駆動するための電圧有する第４電源を生成する第２電源生成回路と、
前記第１電源生成回路と前記揮発性メモリとを接続する経路に挿入される第１スイッチと、
前記第２電源生成回路と前記揮発性メモリとを接続する経路に挿入される第２スイッチと、
前記初期化信号の状態に基づいて前記第１のスイッチおよび前記第２スイッチのオン／オフの切り替え制御を行うための論理素子回路を有する電源切替制御部とを具備することを特徴とするディスクアレイコントロール装置。
【請求項２】
前記電源切替制御部は、前記初期化信号がロー状態の場合に前記第１スイッチをオフ状態および前記第２スイッチをオン状態にし、前記初期化信号がロー状態からハイ状態に移行した場合に前記第１スイッチをオン状態および前記第２スイッチをオフ状態にし、前記初期化信号がハイ状態からロー状態に移行した場合に前記第１スイッチをオフ状態および前記第２スイッチをオン状態にする電源切替制御手段とを具備することを特徴とする請求項１に記載のディスクアレイコントロール装置。
【請求項３】
前記初期化信号がハイ状態からロー状態に移行した場合、前記電源切替制御手段は、前記第２スイッチのオフ状態に移行した後に前記第１スイッチをオン状態にすることを特徴とする請求項２に記載のディスクアレイコントロール装置。
【請求項４】
前記電源切替制御手段は、
前記初期化信号が入力され、入力された遅延信号を遅延させた遅延初期化信号を出力する遅延回路と、
前記初期化信号と前記遅延初期化信号とが入力され、出力信号が前記第１スイッチの制御信号となるＮＡＮＤゲート回路と、
前記初期化信号と前記遅延初期化信号とが入力され、出力信号が前記第２スイッチの制御信号となるＯＲゲート回路とを具備することを特徴とする請求項３に記載のディスクアレイコントロール装置。
【請求項５】
第１電源を出力する電源装置と、
メイン基板と、
前記メイン基板に設けられ前記電源装置から供給された第１電源から第２電源を生成する第１電源回路と、
前記第１電源の電圧が設定値より小さい場合に初期化信号を出力する電源監視回路と、
前記メイン基板に設けられた拡張スロットと、
前記拡張スロットに挿入される拡張基板と、前記拡張基板に実装されたディスクアレイコントローラと、前記ディスクアレイコントローラが通信を行ったデータを一時的に記憶する揮発性メモリと、前記メイン基板から供給される第１電源から前記揮発性メモリを駆動するための電圧を有する第２電源を生成する第１電源生成回路と、前記第１電源、および前記拡張基板に装着されるバッテリから供給される第３電源から選ばれる電圧値が高い電源から前記揮発性メモリを駆動するための電圧有する第４電源を生成する第２電源生成回路と、前記第１電源生成回路と前記揮発性メモリとを接続する経路に挿入される第１スイッチと、前記第２電源生成回路と前記揮発性メモリとを接続する経路に挿入される第２スイッチと、前記初期化信号が供給され、前記初期化信号に応じて前記第１のスイッチと前記第２スイッチのオン／オフの切り替え制御を行うための論理素子回路を有する電源切替制御部とを具備することを特徴とする情報処理装置。
【請求項６】
前記電源切替制御部は、前記初期化信号がロー状態の場合に前記第１スイッチをオフ状態および前記第２スイッチをオン状態にし、前記初期化信号がロー状態からハイ状態に移行した場合に前記第１スイッチをオン状態および前記第２スイッチをオフ状態にし、前記初期化信号がハイ状態からロー状態に移行した場合に前記第１スイッチをオフ状態および前記第２スイッチをオン状態にする電源切替制御手段とを具備することを特徴とする請求項５に記載の情報処理装置。
【請求項７】
前記初期化信号がハイ状態からロー状態に移行した場合、前記電源切替制御手段は、前記第２スイッチのオフ状態に移行した後に前記第１スイッチをオン状態にすることを特徴とする請求項６に記載の情報処理装置。
【請求項８】
前記電源切替制御手段は、
前記初期化信号が入力され、入力された遅延信号を遅延させた遅延初期化信号を出力する遅延回路と、
前記初期化信号と前記遅延初期化信号とが入力され、出力信号が前記第１スイッチの制御信号となるＮＡＮＤゲート回路と、
前記初期化信号と前記遅延初期化信号とが入力され、出力信号が前記第２スイッチの制御信号となるＯＲゲート回路とを具備することを特徴とする請求項７に記載の情報処理装置。
【発明の詳細な説明】
【技術分野】
【０００１】
本発明は、揮発性メモリを有し、揮発性メモリに格納されているデータを保護するためのバッテリを有するディスクアレイコントロール装置、およびこのディスクアレイコントロール装置を有する情報処理装置に関する。
【背景技術】
【０００２】
一般的に、ＲＡＩＤ（Redundant Arrays of Inexpensive Disks）カードにおいては、ＲＡＩＤカードに搭載されたキャッシュメモリに格納されているデータを保護するための充電式のバッテリを備えている。
【０００３】
ＲＡＩＤカードは、メイン基板から供給される本体電源の電圧が低くなった場合に、キャッシュメモリの駆動電圧源を本体電源からバッテリに切り替えることによって、キャッシュメモリに格納されているデータを保護している。
【０００４】
特許文献１は、主電源ＶccをダイオードＤ１を介して負荷供給端子に導き、リチウムバッテリから負荷供給端子に給電するための経路にダイオードＤ２を挿入することを開示している。
【特許文献１】特公平５−９８１３号公報（第１図）
【発明の開示】
【発明が解決しようとする課題】
【０００５】
上述した技術では、それぞれの電源をダイオードを介して接続する為、ダイオードでの電力損失が発生する。
【０００６】
また、供給電圧をＯＰアンプ、ＡＤコンバータ等を使用し電圧低下を検出して論理回路やマイクロプロセッサーにて切り替えを行う方法もあるが、電源電圧監視方式では監視回路分のコスト低減が容易ではない。
【０００７】
本発明の目的は、揮発性メモリの駆動電圧の生成源を切り替えるための回路構成を簡易かつ安価に実現することが可能なディスクアレイコントロール装置および、このディスクアレイコントロール装置を有する情報処理装置を提供することにある。
【課題を解決するための手段】
【０００８】
本発明の一例に係わるディスクアレイコントロール装置は、電源装置と、前記電源装置の出力電圧値が設定値より小さくなった場合に初期化信号を出力する電源監視回路とを有する情報処理装置に設けられたメイン基板に設けられた拡張スロットに挿入される拡張基板と、前記拡張基板に実装されたディスクアレイコントローラと、前記ディスクアレイコントローラが通信を行ったデータを一時的に記憶する揮発性メモリと、前記メイン基板から供給される第１電源から前記揮発性メモリを駆動するための電圧を有する第２電源を生成する第１電源生成回路と、前記第１電源、および前記拡張基板に装着されるバッテリから供給される第３電源から選ばれる電圧値が高い電源から前記揮発性メモリを駆動するための電圧有する第４電源を生成する第２電源生成回路と、前記第１電源生成回路と前記揮発性メモリとを接続する経路に挿入される第１スイッチと、前記第２電源生成回路と前記揮発性メモリとを接続する経路に挿入される第２スイッチと、前記初期化信号の状態に基づいて前記第１のスイッチおよび前記第２スイッチのオン／オフの切り替え制御を行うための論理素子回路を有する電源切替制御部とを具備することを特徴とする。
【０００９】
本発明の一例に係わる情報処理装置は、第１電源を出力する電源装置と、メイン基板と、前記メイン基板に設けられ前記電源装置から供給された第１電源から第２電源を生成する第１電源回路と、前記第１電源の電圧が設定値より小さい場合に初期化信号を出力する電源監視回路と、前記メイン基板に設けられた拡張スロットと、前記拡張スロットに挿入される拡張基板と、前記拡張基板に実装されたディスクアレイコントローラと、前記ディスクアレイコントローラが通信を行ったデータを一時的に記憶する揮発性メモリと、前記メイン基板から供給される第１電源から前記揮発性メモリを駆動するための電圧を有する第２電源を生成する第１電源生成回路と、前記第１電源、および前記拡張基板に装着されるバッテリから供給される第３電源から選ばれる電圧値が高い電源から前記揮発性メモリを駆動するための電圧有する第４電源を生成する第２電源生成回路と、前記第１電源生成回路と前記揮発性メモリとを接続する経路に挿入される第１スイッチと、前記第２電源生成回路と前記揮発性メモリとを接続する経路に挿入される第２スイッチと、前記初期化信号が供給され、前記初期化信号に応じて前記第１のスイッチと前記第２スイッチのオン／オフの切り替え制御を行うための論理素子回路を有する電源切替制御部とを具備することを特徴とする。
【発明の効果】
【００１０】
本発明によれば、揮発性メモリの駆動電圧の生成源を切り替えるための回路構成を簡易かつ安価に実現することが可能になる。
【発明を実施するための最良の形態】
【００１１】
本発明の実施の形態を以下に図面を参照して説明する。
【００１２】
図１を参照して本発明の一実施形態に係わる情報処理装置を説明する。情報処理装置は、コンピュータサーバとして実現されている。
【００１３】
図１は、本情報処理装置１のシステム構成を示すブロック図である。図１に示すように、本電子装置１は、ＣＰＵ１１、ノースブリッジ１２、主メモリ１３、グラフィックスコントローラ１４、ＶＲＡＭ１４Ａ、サウスブリッジ１６、ＢＩＯＳ−ＲＯＭ１７、ＲＡＩＤコントローラボード１８、およびハードディスクドライブ（ＨＤＤ）１９、ＡＣ−ＤＣ電源２３、電源回路２４，および電源監視回路２５等を備えている。
【００１４】
ＣＰＵ１１は、本情報処理装置１内の各部の動作を制御するプロセッサである。ＣＰＵ１１は、ＨＤＤ１９から主メモリ１３にロードされるオペレーティングシステムや、このオペレーティングシステムの制御下で動作する各種プログラムを実行する。また、ＣＰＵ１１は、ＢＩＯＳ−ＲＯＭ１７に格納された基本入出力システム（ＢＩＯＳ）も実行する。なお、以下では、このＢＩＯＳ−ＲＯＭ１７に格納された基本入出力システム自体をＢＩＯＳと称することがある。
【００１５】
ノースブリッジ１２は、ＣＰＵ１１のローカルバスとサウスブリッジ１６との間を接続するブリッジデバイスである。ノースブリッジ１２は、バスを介してグラフィックスコントローラ１４との通信を実行する機能を有しており、また、主メモリ１３をアクセス制御するメモリコントローラも内蔵されている。グラフィックスコントローラ１４は、本電子装置１側のディスプレイ１５を制御する表示コントローラである。グラフィックスコントローラ１４は、ＶＲＡＭ１４Ａに書き込まれた画像データからディスプレイ１５に送出すべき映像信号を生成する。
【００１６】
サウスブリッジ１６は、ＰＣＩ  Ｅｘｐｒｅｓｓ（ＰＣＩｅ）バスおよびＬＰＣバス上の各種デバイスを制御するコントローラである。また、このサウスブリッジ１６には、ＢＩＯＳ−ＲＯＭ１７が直接的に接続され、これらを制御する機能も有している。
【００１７】
ＰＣＩ  Ｅｘｐｒｅｓｓバスには、図２に示すように、メイン基板１０１に設けられた複数の拡張スロット１０４、１０５が接続されている。なお、拡張スロット１０４には８レーン以下のＰＣＩ  Ｅｘｐｒｅｓｓ拡張ボードが挿入することができ、拡張スロット１０５には１６レーン以下のＰＣＩ  Ｅｘｐｒｅｓｓ拡張ボードが挿入することができる。図２に示すように、拡張スロット１０４には、ＲＡＩＤコントローラボード１８を構成する拡張基板２００のコネクタ部２０６が挿入されている。
【００１８】
ＲＡＩＤコントローラボード１８は、複数のＨＤＤ１９で構成されるディスクアレイの制御を行うコントローラである。
【００１９】
ＡＣ−ＤＣ電源２３は、交流の商用電源から直流の電源を生成する変換器である。ＡＣ−ＤＣ電源２３の生成電源は、メイン基板に設けられた電源回路２４に供給される。電源回路２４は、メイン基板に実装された各コンポーネントおよびＰＣＩ  Ｅｘｐｒｅｓｓスロットに挿入されている拡張ボードに供給するための電圧値を有する電源を生成する。
【００２０】
電源監視回路２５は、ＡＣ−ＤＣ電源２３から電源回路２４に供給される電源の電圧を監視し、電圧が設定値より小さくなったらＣＰＵ１１およびＰＣＩ  Ｅｘｐｒｅｓｓバスに接続された拡張ボードに初期化信号を出力する機能を有する。なお、初期化信号を出力する電圧の設定値は、実際にメイン基板に実装された各コンポーネントおよびＰＣＩｅバスに接続された増設ボードが動作不能になる電圧より高く設定されている。
【００２１】
次に、ＲＡＩＤコントローラボード１８の構成について図３を参照して説明する。ＲＡＩＤコントローラボード１８は、プロセッサ（制御部）２０１、キャッシュメモリ（不揮発性記憶部：例えばRAM等）２０２、電源切替回路２０３、バッテリ２０４、Ｄｉｓｋインターフェース部２０５、PCI Expressコネクタ部２０６等を備えている。プロセッサ（制御部）２０１、キャッシュメモリ２０２、電源切替回路２０３、バッテリ２０４、Ｄｉｓｋインターフェース部２０５は、拡張基板２００に実装されている。
【００２２】
プロセッサ２０１は、Ｄｉｓｋインターフェース部２０５に接続されたＨＤＤ１９とのデータの授受の制御等を行う。キャッシュメモリ２０２は、プロセッサ２０１とＤｉｓｋインターフェース部２０５に接続されたＨＤＤ１９とでデータの授受を行う場合、一時的にデータを記憶することにより、データの授受のスピードを向上させる。バッテリ２０４は、キャッシュメモリ２０２に格納されているデータのバックアップのための電源供給源である。電源回路２４からの本体電源の供給が停止した場合等にもバッテリ２０４からキャッシュメモリ２０２に負荷供給電源を供給することにより、キャッシュメモリ２０２に記憶されているデータの消失を防ぐことができる。
【００２３】
電源切替回路２０３は、電源回路２４から供給される本体電源から生成される電源をキャッシュメモリ２０２に供給する。ＡＣ−ＤＣ電源２２の出力電源の電圧値が小さくなると、電源切替回路２０３は、キャッシュメモリ２０２に供給する電源を、電源からバッテリ２０４から供給される電源から生成される電源に切り替える。電源切替回路２０３は、電源監視回路２５が出力する初期化信号に基づいて電源の切り替えを行う。
【００２４】
次に、図４を参照して電源切替回路２０３の構成を説明する。電源切替回路２０３は、ダイオードＤ１、ダイオードＤ２、主電源生成回路３０１、補助電源生成回路３０２、第１スイッチ３０３、第２スイッチ３０４、電源切替制御回路３０５等を備えている。
【００２５】
メイン基板に実装された電源回路２４から供給される本体電源Ｐ１が主電源生成回路３０１に供給されている。電源回路２４から供給される本体電源Ｐ４が第１ダイオードＤ１を介して補助電源生成回路３０２に供給されている。バッテリ２０４から供給される電源Ｐ２が第２ダイオードＤ２を介して補助電源生成回路３０２に供給されている。
【００２６】
主電源生成回路３０１は、入力された本体電源Ｐ１からキャッシュメモリ２０２を駆動するため電圧に適合した主電源Ｐ３を生成する。主電源生成回路３０１が生成した主電源Ｐ３は第１スイッチ３０３を介してキャッシュメモリ２０２に供給されている。
【００２７】
補助電源生成回路３０２は、入力された電源からキャッシュメモリ２０２を駆動するための電圧に適合する補助電源Ｐ４を生成する。補助電源生成回路３０２が生成した補助電源Ｐ４は第２スイッチ３０４を介してキャッシュメモリ２０２に供給されている。通常、電源回路２４から本体電源Ｐ１が正常に供給されている場合、本体電源Ｐ１の電圧値は、電源Ｐ２の電圧値より大きく、補助電源生成回路３０２は、本体電源Ｐ１を用いてキャッシュメモリ２０２を駆動するための電圧に適合する補助電源を生成する。
【００２８】
一方、本体電源Ｐ１の電圧値が電源Ｐ２の電圧値より小さくなると、補助電源生成回路３０２は、バッテリ２０４から供給される電源Ｐ２を用いてキャッシュメモリ２０２を駆動するための電圧に適合する補助電源Ｐ４を生成する。
【００２９】
電源切替制御回路３０５は、第１スイッチ３０３および第２スイッチ３０４のオン／オフ制御を行う。電源回路２４から本体電源Ｐ１がＲＡＩＤコントローラカードに供給されている場合、第１スイッチ３０３がオフ、第２スイッチ３０４がオンになる。
【００３０】
本体電源Ｐ１および電源Ｐ２の少なくとも一方が正常に供給されている場合、キャッシュメモリ２０２に供給される負荷供給電源Ｐ５は、電源切替制御回路３０５による第１スイッチ３０３および第２スイッチ３０４の制御に応じて、電源Ｐ３および電源Ｐ４の少なくとも一方となる。
【００３１】
次に、図５を参照して第１スイッチ３０３および第２スイッチ３０４の構成を説明する。第１スイッチ３０３および第２スイッチ３０４の構成は入力信号が異なるだけで構成は全く同じである。
【００３２】
図５に示すように、第１スイッチ３０３および第２スイッチ３０４は、ＮＰＮ型トランジスタＴｒ１、ＰＮＰ型トランジスタＴｒ２、ＮＰＮ型トランジスタＴｒ３、抵抗Ｒ１，Ｒ２等を有する。
【００３３】
制御信号Ｓ２，Ｓ３がＮＰＮ型トランジスタＴｒ１のベースおよびＰＮＰ型トランジスタＴｒ２のベースに入力されている。ＮＰＮ型トランジスタＴｒ１のコレクタに負荷供給電源Ｐ５が入力されている。ＮＰＮ型トランジスタＴｒ１のエミッタ側の出力が抵抗Ｒ１，Ｒ２を介してＮＰＮ型トランジスタＴｒ３のベースに入力されている。ＰＮＰ型トランジスタＴｒ２のコレクタがアースに接続されている。ＰＮＰ型トランジスタＴｒ２のコレクタ側の出力が抵抗Ｒ１と抵抗Ｒ２との間に入力されている。ＮＰＮ型トランジスタＴｒ３のコレクタ側に主電源生成回路３０１から出力電源Ｐ３または補助電源生成回路３０２から出力電源Ｐ４が入力されている。制御信号Ｓ２（Ｓ３）がハイ状態になるとＮＰＮ型トランジスタＴｒ３がオン状態になり、負荷供給電源Ｐ５が電源Ｐ３（Ｐ４）になる。
【００３４】
図６を参照して電源切替制御回路３０５の構成を説明する。電源切替制御回路３０５は、抵抗ＲとキャパシタＣとから構成されるＲＣ時定数回路（遅延回路）４０１、ＮＡＮＤゲート回路４０２、およびＯＲゲート回路４０３等を有する。ＮＡＮＤゲート回路４０２には、初期化信号と、ＲＣ時定数回路４０１を介した初期化信号とが入力される。ＯＲゲート回路４０３には、初期化信号と、ＲＣ時定数回路４０１を介した初期化信号とが入力される。
【００３５】
メイン基板の電源回路２４から本体電源Ｐ１が供給され、初期化信号Ｓ１が供給されていない場合、ＮＡＮＤゲート回路４０２の出力はハイ状態、ＯＲゲート回路４０３の出力はロー状態となる。従って、第１スイッチ３０３に供給される信号Ｓ２がハイ状態であるので、第１スイッチ３０３がオン状態になる。また、第２スイッチ３０４に供給される信号Ｓ３がロー状態であるので、第２スイッチ３０４がオフ状態になる。
【００３６】
この状態で、初期化信号Ｓ１が供給されると、ＯＲゲート回路４０３の出力がハイ状態になって、遅延時間が経過した後にＮＡＮＤゲート回路４０２の出力がロー状態になる。遅延時間は、ＲＣ時定数回路４０１の抵抗値ＲとキャパシタＣの容量とで決定される。
【００３７】
電源監視回路２５は、ＲＡＩＤコントローラボード１８が動作不能になる前に初期化信号を出力するので、駆動電圧低下前に切り替え処理を実施する事が可能となる。
【００３８】
以下に、この電源切替制御回路３０５の動作を図７を参照してより詳細に説明する。
【００３９】
状態１
初期化信号Ｓ１がローの状態の場合、図６に示すように、第１スイッチ制御信号Ｓ２がロー状態、第２スイッチ制御信号Ｓ３がハイ状態である。従って、第１スイッチ３０３がオフ状態、第２スイッチがオン状態であるので、負荷供給電源Ｐ５は、補助電源生成回路３０２によって生成された電源Ｐ４である。
【００４０】
状態２
初期化信号Ｓ１がハイ状態になると、図６に示すように、第１スイッチ制御信号Ｓ２および第２スイッチ制御信号Ｓ３がハイ状態になる。従って、第１スイッチ３０３および第２スイッチ３０４が共にオン状態となるので、負荷供給電源Ｐ５は、主電源生成回路３０１によって生成される電源Ｐ３および補助電源生成回路３０２によって生成される電源Ｐ４である。
【００４１】
この状態は、初期化信号Ｓ１からＲＣ時定数回路４０１を通過して生成される遅延信号Ｓ４が、ＮＡＮＤゲート回路４０２およびＯＲゲート回路４０３の入力ハイ電圧の閾値を超えるまで保持される。キャッシュメモリ２０２に供給される負荷供給電源Ｐ５が主電源生成回路３０１によって生成される電源Ｐ３および補助電源生成回路３０２によって生成される電源Ｐ４になることで、主電源生成回路３０１によって生成される電源Ｐ３の電圧の立ち上がり、補助電源生成回路３０２によって生成される電源Ｐ４の電圧の立ち下がり状態を回避して、キャッシュメモリ２０２に供給される負荷供給電源Ｐ５の電圧変動を低減している。
【００４２】
状態３
初期化信号Ｓ１の遅延信号Ｓ４がＮＡＮＤゲート回路４０２およびＯＲゲート回路４０３の閾値を超えると、第１スイッチ制御信号Ｓ２がハイ状態、第２スイッチ制御信号Ｓ３がロー状態になる。従って、第１スイッチ３０３がオン状態、第２スイッチがオフ状態であるので、負荷供給電源Ｐ５は主電源生成回路３０１によって生成された電源Ｐ３となる。
【００４３】
状態４
情報処理装置本体が初期化、もしくは電源オフに移行すると、初期化信号Ｓ１がロー状態になり、第１スイッチ制御信号Ｓ２がロー状態になり、第２スイッチ制御信号Ｓ３がハイ状態になる。従って、第１スイッチ３０３がオフ状態、第２スイッチ３０４がオン状態になるので、負荷供給電源Ｐ５は、主電源生成回路３０１によって生成される電源Ｐ３および補助電源生成回路３０２によって生成される電源Ｐ４となる。この状態は、初期化信号Ｓ１の遅延信号Ｓ４がＮＡＮＤゲート回路４０２およびＯＲゲート回路４０３のゲート入力ロー電圧閾値を超えるまで保持される。この所帯４は、状態２と同様に状態１に遷移する際の電圧変動を低減している。
【００４４】
ポイントＰ５には、本体電源およびバッテリ２０４の双方からの給電が同時に停止するまで供給され続け、キャッシュメモリ２０２に格納されているデータを揮発させることなく保持し続けることができる。
【００４５】
本実施形態のＲＡＩＤコントローラボード１８は、コンピュータ１本体から出力される初期化信号を用いることで、
キャッシュメモリ２０２の駆動電源の生成源を切り替えるための制御を一般の論理素子部品主体で構成する事ができ、安価に回路を構築可能であると共に、キャッシュメモリ２０２の記憶内容の保持性を向上させることができる。
【００４６】
なお、本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００４７】
【図１】本発明の一実施形態に係わる情報処理装置のシステム構成を示すブロック図。
【図２】本発明の一実施形態に係わる情報処理装置の構成を示す斜視図。
【図３】本発明の一実施形態に係わるＲＡＩＤコントローラボードの構成を示す図。
【図４】本発明の一実施形態に係わる電源切替回路の構成を示すブロック図。
【図５】本発明の一実施形態に係わる第１スイッチおよび第２スイッチの構成を示す回路図。
【図６】本発明の一実施形態に係わる電源切替制御回路を示すブロック図。
【図７】本発明の一実施形態に係わる電源切替制御回路の動作を説明するための信号を示す図。
【符号の説明】
【００４８】
１８…ＲＡＩＤコントローラボード，２５…電源監視回路，１０４…拡張スロット，２００…拡張基板，２０１…プロセッサ，２０２…キャッシュメモリ，２０３…電源切替回路，２０４…バッテリ，２０６…コネクタ部，３０１…主電源生成回路，３０２…補助電源生成回路，３０３…第１スイッチ，３０４…第２スイッチ，３０５…電源切替制御回路，４０１…ＲＣ時定数回路，４０２…ＮＡＮＤゲート回路，４０３…ＯＲゲート回路。
【図１】
2010108411.tif 000003
【図２】
2010108411.tif 000004
【図３】
2010108411.tif 000005
【図４】
2010108411.tif 000006
【図５】
2010108411.tif 000007
【図６】
2010108411.tif 000008
【図７】
2010108411.tif 000009
【手続補正書】
【提出日】平成21年12月16日(2009.12.16)
【手続補正１】
【補正対象書類名】特許請求の範囲
【補正対象項目名】全文
【補正方法】変更
【補正の内容】
【特許請求の範囲】
【請求項１】
電源装置と、前記電源装置の出力電圧値が設定値より小さくなった場合に初期化信号を出力する電源監視回路とを有する情報処理装置に設けられたメイン基板に設けられた拡張スロットに挿入される拡張基板と、
前記拡張基板に実装されたディスクアレイコントローラと、
前記ディスクアレイコントローラが通信を行ったデータを一時的に記憶する揮発性メモリと、
前記メイン基板から供給される第１電源から前記揮発性メモリを駆動するための電圧を有する第２電源を生成する第１電源生成回路と、
前記第１電源、および前記拡張基板に装着されるバッテリから供給される第３電源から選ばれる電圧値が高い電源から前記揮発性メモリを駆動するための電圧有する第４電源を生成する第２電源生成回路と、
前記第１電源生成回路と前記揮発性メモリとを接続する経路に挿入される第１スイッチと、
前記第２電源生成回路と前記揮発性メモリとを接続する経路に挿入される第２スイッチと、
前記初期化信号の状態に基づいて前記第１スイッチおよび前記第２スイッチのオン／オフの切り替え制御を行うための論理素子回路を有する電源切替制御部とを具備することを特徴とするディスクアレイコントロール装置。
【請求項２】
前記電源切替制御部は、前記初期化信号がロー状態の場合に前記第１スイッチをオフ状態および前記第２スイッチをオン状態にし、前記初期化信号がロー状態からハイ状態に移行した場合に前記第１スイッチをオン状態および前記第２スイッチをオフ状態にし、前記初期化信号がハイ状態からロー状態に移行した場合に前記第１スイッチをオフ状態および前記第２スイッチをオン状態にする電源切替制御手段とを具備することを特徴とする請求項１に記載のディスクアレイコントロール装置。
【請求項３】
前記初期化信号がハイ状態からロー状態に移行した場合、前記電源切替制御手段は、前記第２スイッチをオン状態に移行させた後に前記第１スイッチをオフ状態にすることを特徴とする請求項２に記載のディスクアレイコントロール装置。
【請求項４】
前記電源切替制御手段は、
前記初期化信号が入力され、入力された初期化信号を遅延させた遅延初期化信号を出力する遅延回路と、
前記初期化信号と前記遅延初期化信号とが入力され、出力信号が前記第１スイッチの制御信号となるＮＡＮＤゲート回路と、
前記初期化信号と前記遅延初期化信号とが入力され、出力信号が前記第２スイッチの制御信号となるＯＲゲート回路とを具備することを特徴とする請求項３に記載のディスクアレイコントロール装置。
【請求項５】
第１電源を出力する電源装置と、
メイン基板と、
前記メイン基板に設けられ前記電源装置から供給された第１電源から第２電源を生成する第１電源回路と、
前記第１電源の電圧が設定値より小さい場合に初期化信号を出力する電源監視回路と、
前記メイン基板に設けられた拡張スロットと、
前記拡張スロットに挿入される拡張基板と、前記拡張基板に実装されたディスクアレイコントローラと、前記ディスクアレイコントローラが通信を行ったデータを一時的に記憶する揮発性メモリと、前記メイン基板から供給される前記第２電源から前記揮発性メモリを駆動するための電圧を有する第３電源を生成する第１電源生成回路と、前記第２電源、および前記拡張基板に装着されるバッテリから供給される第４電源から選ばれる電圧値が高い電源から前記揮発性メモリを駆動するための電圧有する第５電源を生成する第２電源生成回路と、前記第１電源生成回路と前記揮発性メモリとを接続する経路に挿入される第１スイッチと、前記第２電源生成回路と前記揮発性メモリとを接続する経路に挿入される第２スイッチと、前記初期化信号が供給され、前記初期化信号に応じて前記第１スイッチと前記第２スイッチのオン／オフの切り替え制御を行うための論理素子回路を有する電源切替制御部とを有するディスクコントロール部と
を具備することを特徴とする情報処理装置。
【請求項６】
前記電源切替制御部は、前記初期化信号がロー状態の場合に前記第１スイッチをオフ状態および前記第２スイッチをオン状態にし、前記初期化信号がロー状態からハイ状態に移行した場合に前記第１スイッチをオン状態および前記第２スイッチをオフ状態にし、前記初期化信号がハイ状態からロー状態に移行した場合に前記第１スイッチをオフ状態および前記第２スイッチをオン状態にする電源切替制御手段とを具備することを特徴とする請求項５に記載の情報処理装置。
【請求項７】
前記初期化信号がハイ状態からロー状態に移行した場合、前記電源切替制御手段は、前記第２スイッチをオン状態に移行させた後に前記第１スイッチをオフ状態にすることを特徴とする請求項６に記載の情報処理装置。
【請求項８】
前記電源切替制御手段は、
前記初期化信号が入力され、入力された初期化信号を遅延させた遅延初期化信号を出力する遅延回路と、
前記初期化信号と前記遅延初期化信号とが入力され、出力信号が前記第１スイッチの制御信号となるＮＡＮＤゲート回路と、
前記初期化信号と前記遅延初期化信号とが入力され、出力信号が前記第２スイッチの制御信号となるＯＲゲート回路とを具備することを特徴とする請求項７に記載の情報処理装置。
【手続補正２】
【補正対象書類名】明細書
【補正対象項目名】０００８
【補正方法】変更
【補正の内容】
【０００８】
本発明の一例に係わるディスクアレイコントロール装置は、電源装置と、前記電源装置の出力電圧値が設定値より小さくなった場合に初期化信号を出力する電源監視回路とを有する情報処理装置に設けられたメイン基板に設けられた拡張スロットに挿入される拡張基板と、前記拡張基板に実装されたディスクアレイコントローラと、前記ディスクアレイコントローラが通信を行ったデータを一時的に記憶する揮発性メモリと、前記メイン基板から供給される第１電源から前記揮発性メモリを駆動するための電圧を有する第２電源を生成する第１電源生成回路と、前記第１電源、および前記拡張基板に装着されるバッテリから供給される第３電源から選ばれる電圧値が高い電源から前記揮発性メモリを駆動するための電圧有する第４電源を生成する第２電源生成回路と、前記第１電源生成回路と前記揮発性メモリとを接続する経路に挿入される第１スイッチと、前記第２電源生成回路と前記揮発性メモリとを接続する経路に挿入される第２スイッチと、前記初期化信号の状態に基づいて前記第１スイッチおよび前記第２スイッチのオン／オフの切り替え制御を行うための論理素子回路を有する電源切替制御部とを具備することを特徴とする。
【手続補正３】
【補正対象書類名】明細書
【補正対象項目名】０００９
【補正方法】変更
【補正の内容】
【０００９】
本発明の一例に係わる情報処理装置は、第１電源を出力する電源装置と、メイン基板と、前記メイン基板に設けられ前記電源装置から供給された第１電源から第２電源を生成する第１電源回路と、前記第１電源の電圧が設定値より小さい場合に初期化信号を出力する電源監視回路と、前記メイン基板に設けられた拡張スロットと、前記拡張スロットに挿入される拡張基板と、前記拡張基板に実装されたディスクアレイコントローラと、前記ディスクアレイコントローラが通信を行ったデータを一時的に記憶する揮発性メモリと、前記メイン基板から供給される前記第２電源から前記揮発性メモリを駆動するための電圧を有する第３電源を生成する第１電源生成回路と、前記第２電源、および前記拡張基板に装着されるバッテリから供給される第４電源から選ばれる電圧値が高い電源から前記揮発性メモリを駆動するための電圧有する第５電源を生成する第２電源生成回路と、前記第１電源生成回路と前記揮発性メモリとを接続する経路に挿入される第１スイッチと、前記第２電源生成回路と前記揮発性メモリとを接続する経路に挿入される第２スイッチと、前記初期化信号が供給され、前記初期化信号に応じて前記第１スイッチと前記第２スイッチのオン／オフの切り替え制御を行うための論理素子回路を有する電源切替制御部とを有するディスクコントロール部とを具備することを特徴とする。